(57)【要約】【課題】利用者個別の操作のための個人識別ユーザインタフェース装置を提供する。【解決手段】個人識別ユーザインタフェース装置は、識別情報保持カードが近接することによりユーザを識別する利用者個人識別装置と、前記利用者個人識別装置の近傍に設けられてユーザ操作の押し込みの度合いを検出する圧力センサと、前記圧力センサにより検出されたユーザ操作の押し込みの度合いと、前記利用者個人識別装置により識別された個人識別情報に応じて表示する内容をデータベースから取り出す情報提示処理装置と、前記情報提示処理装置により取り出された内容を表示する表示装置とを備える。【選択図】図１
2007233769.tif 000002
【特許請求の範囲】
【請求項１】
識別情報保持カードが近接することによりユーザを識別する利用者個人識別装置と、
前記利用者個人識別装置の近傍に設けられてユーザ操作の押し込みの度合いを検出する圧力センサと、
前記圧力センサにより検出されたユーザ操作の押し込みの度合いと、前記利用者個人識別装置により識別された個人識別情報に応じて表示する内容をデータベースから取り出す情報提示処理装置と、
前記情報提示処理装置により取り出された内容を表示する表示装置と
を備えることを特徴とする個人識別ユーザインタフェース装置。
【請求項２】
請求項１に記載の個人識別ユーザインタフェース装置において、更に、
ユーザ操作の押し込みの度合いを表示する第２の表示装置
を備える
ことを特徴とする個人識別ユーザインタフェース装置。
【請求項３】
請求項１に記載の個人識別ユーザインタフェース装置において、
利用者個人識別装置は、識別情報保持カードから非接触で識別情報を読み取る識別情報読み取り装置である
ことを特徴とする個人識別ユーザインタフェース装置。
【請求項４】
利用者が保有する識別情報を識別する利用者個人識別装置と、
前記利用者個人識別装置と一体に設けられてユーザ操作の回転の度合いを検出する回転量検出装置と、
前記回転量検出装置により検出されたユーザ操作の回転の度合いと、前記利用者個人識別装置により識別された個人識別情報に応じて表示する内容をデータベースから取り出す情報提示処理装置と、
前記情報提示処理装置により取り出された内容を表示する表示装置と
を備えることを特徴とする個人識別ユーザインタフェース装置。
【請求項５】
請求項４に記載の個人識別ユーザインタフェース装置において、更に、
ユーザ操作の回転の度合いを表示する第２の表示装置
を備える
ことを特徴とする個人識別ユーザインタフェース装置。
【請求項６】
請求項４に記載の個人識別ユーザインタフェース装置において、
利用者個人識別装置は、利用者の生体情報を認識する個人生体情報識別装置である
ことを特徴とする個人識別ユーザインタフェース装置。
【発明の詳細な説明】
【技術分野】
【０００１】
本発明は、個人識別ユーザインタフェース装置に関し、詳細には、利用者を識別する利用者識別装置とユーザ操作を受け付けるユーザインタフェース装置を組み合わせて、利用者を個別に識別して利用者に応じた固有のユーザ操作による情報の提示を行うことのできるユーザインタフェース装置に関するものである。
【背景技術】
【０００２】
近年、ＲＦＩＤや生体情報など利用して、利用者が保有する個別情報を識別するＩＤシステムが流通・認証分野を中心に急速に普及しつつあり、そのシンプル／ロバストな特徴から、ユビキタス環境におけるインタラクション技法として注目を集めている。
【０００３】
これまでのＩＤシステムの拡張システムとしては、本発明者らが先に提案している非特許文献１の「ＭｏｕｓｅＦｉｅｌｄ」がある。この「ＭｏｕｓｅＦｉｅｌｄ」は、ＲＦＩＤリーダと光学センサを組み合わせたデバイスを用いて、「モノを置いて、動かす」というシンプルな操作で、単純なＩＤシステムを拡張して多様な操作を行えるようにしたＩＤシステムの拡張システムである。
【０００４】
また、別のＩＤシステムの拡張システムの例として、非特許文献２の「ＷｅａｒａｂｌｅＫｅｙ」がある。この「ＷｅａｒａｂｌｅＫｅｙ」のシステムにおいては、ＰＡＮ（Ｐｅｒｓｏｎａｌ  Ａｒｅａ  Ｎｅｔｗｏｒｋ）を応用して、ユーザが機器に触れている間だけ認証を行う手法を提案している。
【０００５】
また、この種のＩＤシステムの類似システムとして、特許文献１に記載されているような電子印鑑システムがある。この電子印鑑システムは、導電接触せずに電子印鑑と電子印鑑マット間にて秘密鍵を用いた処理データの授受を行う電子印鑑システムであり、マット回路部が圧力センサを備えており、電子印鑑が電子印鑑マットに押し付けられた圧力を検出し、その検出タイミングに基づいて、電子印鑑との間で電磁波によるデータの授受を行うようにシステムを構成している。ここでは印鑑をマットに押し付けるという動作（ユーザ操作）を伴わせることで、ユーザが日常生活で慣れ親しんでいる押印の動作をシステムに導入している。
【非特許文献１】Masui, T.,Tsukada, K. and Siio, I.: MouseField:A Simple and Versatile Input Device forUbiquitous Computing, Proceedings of UbiComp2004, pp. 319?328 (2004).
【非特許文献２】Matsushita, N.,et. al: Wearable Key: Device for Personalizing nearby Environment, Proceedingsof ISWC2000 , p. 119 (2000).
【特許文献１】特開２００２−２３６８６９号公報
【発明の開示】
【発明が解決しようとする課題】
【０００６】
こうしたＩＤシステムは、タグの内蔵されたカード／モノ（ＲＦＩＤ）や指（指紋）などの利用者個人を識別する個別情報を読み取るためのリーダ（認証装置）に「触れる」だけで、人／モノなどの簡易な状況認識を行える点が優れている。しかしながら、ＩＤ（識別情報）の有無という１ｂｉｔの入力しか扱うことができないため、ユーザがどのような操作を行いたいかを正確に反映することは困難であった。
【０００７】
日常生活空間で幅広く利用されるユーザインタフェース装置の多くは、「どのように」操作を行うかを容易に指定することができる。たとえば、水道の蛇口では水量の調節を、コンロのつまみでは火力の調節を、それぞれ「まわす」という行為（ユーザ操作）で調整している。このように、ユーザが日常生活で慣れ親しんでいる動作のユーザ操作とＩＤシステムにより識別されるＩＤベースの利用者個人のインタラクション技法は相補的な関係にある。
【０００８】
本発明は、上記のような問題を解決するためになされたものであり、本発明においてはＩＤシステムの拡張システムとして、ＩＤ認識装置とさまざまなユーザ操作（動作）を検出するセンサとを組み合わせて、ＩＤ認識装置により利用者を個別に識別するＩＤを認識した後に、ユーザの日常的な動作（押す、まわす…ｅｔｃ）を続けて行うことにより、シンプルな状況認識からアナログ的な調整まで、さまざまな粒度の情報を操作できる入力インタフェース群の個人識別ユーザインタフェース装置を提供する。
【０００９】
また、本発明においては、ユーザが日常的に慣れ親しんだ動作に焦点を当て、ＩＤシステムとアナログ的な操作の相補的な統合を目指しており、本発明の目的は、利用者を識別する利用者識別装置とユーザ操作を受け付けるインタフェース装置（センサ）とを組み合わせて利用者個別のユーザ操作のための個人識別ユーザインタフェース装置を提供することにある。
【課題を解決するための手段】
【００１０】
上記のような目的を達成する本発明の個人識別ユーザインタフェース装置が提供するインタフェース機能のコンセプトは、
（１）なめらかな粒度を持つ情報操作を可能とし、
（２）日常的な行為を活用して、
（３）生活場面に応じた多様な形態での応用を可能とする、
の三点である。このため、ＩＤベースのインタラクション技法と、ユーザの日常的な行為を組み合わせることにより、シンプルな状況認識からアナログ的な調整まで、なめらかな粒度を持つ情報操作を実現できるようにシステム構成する。また、「押す」「まわす」といったユーザの慣れ親しんだ動作を活用することで、学習／利用負荷の少ないインタフェースを実現できるものとしている。
【００１１】
具体的には、本発明は、第１の態様として、本発明による個人識別ユーザインタフェース装置は、識別情報保持カードが近接することによりユーザを識別する利用者個人識別装置と、前記利用者個人識別装置の近傍に設けられてユーザ操作の押し込みの度合いを検出する圧力センサと、前記圧力センサにより検出されたユーザ操作の押し込みの度合いと、前記利用者個人識別装置により識別された個人識別情報に応じて表示する内容をデータベースから取り出す情報提示処理装置と、前記情報提示処理装置により取り出された内容を表示する表示装置とを備えることを特徴とするものである。
【００１２】
この場合において、更に、ユーザ操作の押し込みの度合いを表示する第２の表示装置を備えるものであり、利用者個人識別装置としては、識別情報保持カードから非接触で識別情報を読み取る識別情報読み取り装置を用いる。
【００１３】
本発明は、第２の態様として、本発明による個人識別ユーザインタフェース装置は、利用者が保有する識別情報を識別する利用者個人識別装置と、前記利用者個人識別装置と一体に設けられてユーザ操作の回転の度合いを検出する回転量検出装置と、前記回転量検出装置により検出されたユーザ操作の回転の度合いと、前記利用者個人識別装置により識別された個人識別情報に応じて表示する内容をデータベースから取り出す情報提示処理装置と、前記情報提示処理装置により取り出された内容を表示する表示装置とを備えることを特徴とするものである。
【００１４】
この場合に、更に、ユーザ操作の回転の度合いを表示する第２の表示装置を備えるものであり、また、利用者個人識別装置としては、利用者の生体情報を認識する個人生体情報識別装置を用いることができる。
【発明の効果】
【００１５】
上記のような特徴を有する本発明の個人識別ユーザインタフェース装置によれば、ＩＤ認識装置とユーザ操作（動作）を検出するセンサとを組み合わせて、ＩＤ認識装置により利用者を個別に識別するためのＩＤを認識した後に、ユーザの日常的な動作（押す、まわす…ｅｔｃ）を続けて行うことにより、シンプルな状況認識からアナログ的な調整までのさまざまな粒度の情報を操作できるユーザ入力インタフェース装置が、ＩＤシステムの拡張システムとして提供される。
【００１６】
このため、日常の生活空間で幅広く利用されるユーザインタフェース装置の応用例として、例えば、水道の蛇口での水量の調節を、コンロのつまみでの火力の調節を、それぞれユーザ操作により、それぞれの個人に対応して調整できるユーザインタフェース装置が提供される。また、この場合に、ユーザ操作の操作量に応じて、システム側からはそれぞれの個人に特有の情報が提示され、対応の指示のユーザ操作を行うことができる。
【発明を実施するための最良の形態】
【００１７】
以下、本発明を実施する場合の形態について、図面を参照して説明する。図１は、本発明の一実施例の個人識別ユーザインタフェース装置のシステム構成を示すブロック図である。図１において、１２０はホストコンピュータ、１２１は認証データベース、１２２は決済データベース、コンテンツデータベースなどの提示情報データベースである。１０１は制御コンピュータのマイクロコンピュータ、１０２はＲＦＩＤリーダ、１０３は利用者のユーザ操作の押し込み力を検出する圧力センサ、１０４は簡易フィードバック機構、１０５はディスプレイ、１０６はスピーカーである。
【００１８】
利用者個人の識別は、識別情報保持カード（ＲＦＩＤタグを組み込んだカード）を、ＲＦＩＤリーダ１０２に近接することにより、ＲＦＩＤリーダ１０２が識別情報保持カードのデータを読み取って、ホストコンピュータ１２０に入力する。ホストコンピュータ１２０は、ＲＦＩＤリーダ１０２により読み取られた識別情報に基づいて、認証データベース１２１の認証データを参照して、利用者個人を識別する。このようなユーザを識別する利用者個人識別装置としては、公知のものが利用できる。例えば、後述するように、指紋センサを利用してもよく、または、生体情報により個人を識別する生体情報個人識別装置であってもよい。
【００１９】
本発明に係る個人識別ユーザインタフェース装置の主要部を構成する「Ｔｏｕｃｈ＆Ｄｏｗｎデバイス」は、後述するように、制御コンピュータであるマイクロコンピュータ１０１、ＲＦＩＤリーダ１０２、圧力センサ１０３、簡易フィードバック機構１０４から構成されており、これらが一体化されて筐体に収納されたものとなっている。簡易フィードバック機構１０３は、発光ダイオードおよび振動モータなどの出力装置から構成されており、マイクロコンピュータ１０１の制御により、ＲＦＩＤリーダ１０２によってデータが読み取られたことを発光ダイオードの発光状態により表示し、また、圧力センサ１０３によりユーザ操作が検出されたことを、振動モータによりユーザに提示するなど、ユーザ操作のアクションをフィードバックしてユーザに提示する機能を提供する。
【００２０】
ここでの画像を表示するディスプレイ１０５および音出力を行うスピーカー１０６についても、「Ｔｏｕｃｈ＆Ｄｏｗｎデバイス」の近傍に設けられ、個人識別された利用者の個人情報に基づいてユーザ操作に応じたさまざまな情報を利用者に提示する。例えば、ＲＦＩＤカードをＲＦＩＤリーダ１０２に近接することにより、識別情報のデータを読み取られて、利用者個人が識別された後に続くユーザ操作を圧力センサ１０３により検出する。この場合において、圧力センサ１０３がユーザ操作の押し込みの度合いを検出すると、この検出された押し込みの度合いが、マイクロコンピュータ１０１を介して、ホストコンピュータ１２０に送信される。ホストコンピュータ１２０では、ユーザ操作の押し込みの度合いに応じて、利用者個人の対応したそれぞれの情報の提示を、ディスプレイ１０５またはスピーカー１０６により出力する。
【００２１】
ホストコンピュータ１２０の処理においては、圧力センサ１０３により検出されたユーザ操作の押し込みの度合いと、認証データベース１２１のデータに基づいて識別された利用者個人の個人識別情報に応じて、表示する内容を提示情報データベース１２２から取り出して、ディスプレイ１０５またはスピーカー１０６により出力する。この提示情報データベース１２２としては、応用されるアプリケーションに応じて、後述するように、決済データベース、コンテンツデータベースなどが利用される。
【００２２】
具体例で説明する。「Ｔｏｕｃｈ＆Ｄｏｗｎデバイス」は、ＲＦＩＤリーダと圧力センサを組み合わせたユーザインタフェース装置である。この装置に、ＲＦＩＤ（タグ）カードを置いて、それを強く押し込むことを検出するセンサを組み込むことで、ＩＤシステムを拡張するアプローチとなっている。圧力センサには、例えば「Ｐｈｉｄｇｅｔ  ＦｏｒｃｅＳｅｎｓｏｒ」を用い、ＲＦＩＤリーダには、「Ｐｈｉｄｇｅｔ  ＲＦＩＤ」を用いてシステムを構成している。アセンブリとしては、圧力センサは、ＲＦＩＤリーダの中央に配置し、その上に半透明のアクリルパネルを取り付けている。また、パネル下部の四隅には、衝緩用のゲルを配置し、パネルを押し込む際に適度な弾力が生まれるように工夫している。また、デバイス下部には複数の発光ダイオードを配置して、押圧の変化をリアルタイムにフィードバックする機構を設けている。「ＦｏｒｃｅＳｅｎｓｏｒ」と「発光ダイオード」は「Ｐｈｉｄｇｅｔ  ＩｎｔｅｒｆａｃｅＫｉｔ」に接続され、ＲＦＩＤリーダとともにホストコンピュータから制御される。
【００２３】
「Ｔｏｕｃｈ＆Ｄｏｗｎデバイス」の有効な活用例として、電子マネーシステムに応用する場合について説明する。例えば、「Ｓｕｉｃａ」（登録商標）カードや「Ｅｄｙ！」（登録商標）カードなどの電子マネーカードを利用した電子マネーシステムにおいては、電子マネーカードを「置いた」時点で即座に課金が行われることが一般的である。
【００２４】
こうした１ｂｉｔの入力システム（ＩＤシステム）では、カードを置くまでは何が起こるかわからず、気づけば課金されていた、という状況が起こりうる。本発明に係る個人識別ユーザインタフェース装置の「Ｔｏｕｃｈ＆Ｄｏｗｎデバイス」を利用すれば、電子マネーカードをＲＦＩＤリーダに置くことにより、まず、課金金額のプレビューを行い、そのまま押し込むユーザ操作を行うことにより、次のステージに至って、課金を完了するというシステムを構築できる。ここでの課金金額のプレビューとしては、例えば「支払金額は合計１，０００円です。よろしいですか？」と表示し、続いて、そのまま押し込むユーザ操作を検出すると、「１，０００円の支払いを完了しました。」との承認の表示を行うシステム構成とすることができる。
【００２５】
こうしたユーザ操作は、印鑑を紙に当てて押し込むという日常的な操作を用いて、ユーザの意思確認のプロセスを追加できるため、直感的で使いやすい認証機構として機能する個人識別ユーザインタフェース装置となる。
【００２６】
また、個人識別ユーザインタフェース装置は、さらに、後に、図７により説明するように、展示会などにおける人気投票に活用したり（強く押し込むほど高い評価を入力する）、飲食店のサービスの質に応じてチップの額を変更したり（強く押し込むほど多いチップを支払う）といった現在の電子マネーシステムの利用範囲を大きく広げる応用とすることもできる。
【００２７】
図２および図３は、本発明に係る個人識別ユーザインタフェース装置を電子マネーシステムに応用したシステムの動作を説明するフローチャートである。これらの図を参照して説明すると、図２に示すように、利用者が電子マネーカード（ＲＦＩＤカード）をカード読み取り装置（ＲＦＩＤリーダ）に押し当てると、ＲＦＩＤリーダ１０２は、カードのＩＤを取得し、ホストコンピュータ１２０に取得したＩＤを送信する。ホストコンピュータ１２０では、送信されてきたＩＤを認証データベースのデータに基づいて照合する。このＩＤの照合の結果、ＩＤが登録済みでない場合には、ディスプレイ１０５にエラー表示して終了する。
【００２８】
ＩＤが登録済みである場合には、認証データベースからＩＤの残高を取得すると共に、決済データベースから決済金額を取得して、ＩＤの残高と決済金額を比較する。この比較の結果、残高が決済金額以上でない場合には、決済を完了できないので、ディスプレイ１０５にエラー表示して終了する。この場合に、ディスプレイ１０５にはＩＤの残高を表示して、決済を完了できない旨のエラー内容を表示する。また、比較の結果、残高が決済金額以上であると、決済を完了できるが、ただちに決済の処理に進まないで、次のユーザ操作を待つため、圧力センサ１０３における押し込み力の検出の処理に進む。
【００２９】
図３を参照すると、圧力センサ１０３においては、押し込み圧力を検出すると、検出した押し込み圧力をマイクロコンピュータ１０１に送信する。マイクロコンピュータ１０１では、圧力センサ１０３から受信した押し込み圧力の圧力値を、レベル判定のための数値に変換すると共に、その変換された圧力値をホストコンピュータ１２０に送信する。ホストコンピュータ１２０では、マイクロコンピュータ１０１から受信した圧力値のレベルを判定して、圧力レベルを簡易表示すると共に、その圧力値に応じた処理を行う。
【００３０】
レベル判定した圧力値がある閾値以上でない場合には、押し込み圧力が閾値以上になるまで、この処理を繰り返して待ち、押し込み圧力が閾値以上になると、ユーザ操作による利用者の確認が得られたとして、次の決済の処理に進み、決済データベースにＩＤの残高を送信し、決済データベースで行われた決済処理の結果の新残高を取得する。そして、認証データベースにＩＤの新残高の書込みを行い、認証データベースに対する決済処理を完了すると共に、ディスプレイ１０５に決済の確定の表示と新残高の表示を行う。これにより、電子マネーカードにおける決済処理が完了する。
【００３１】
図４は、本発明の別の実施例の個人識別ユーザインタフェース装置のシステム構成を示すブロック図である。図４において、１２０はホストコンピュータ、１２１は認証データベース、１２３はコンテンツデータベース、ユーザ嗜好データベースなどの提示情報データベース、２０１は制御コンピュータのマイクロコンピュータ、２０２は指紋センサ、２０３は利用者のユーザ操作の回転の度合いを検出する可変抵抗器で構成されている操作つまみの回転センサ、２０４はプッシュスイッチ、２０５はディスプレイ、２０６はスピーカー、２０７は拡張出力モジュールである。
【００３２】
利用者個人の識別は、指紋センサ２０２によりユーザの指の指紋を検出して、この指紋データをホストコンピュータ１２０に入力し、ホストコンピュータ１２０において、認証データベース１２１に登録されている利用者個人の指紋データと照合して、利用者個人を識別する。このような指紋センサ２０２により、利用者個人を識別する利用者個人識別装置としては、公知のものを利用するので、詳細な説明は省略する。
【００３３】
ここでのユーザ操作を検出するデバイスとしては、回転量を検出する「操作つまみ」を用いる。例えば、ボリュームの可変抵抗器を用いる。後述するように、このボリュームの「操作つまみ」の指を当てる位置に指紋センサを一体化して設けておき、利用者個人の指紋の検出による個人識別と、利用者のユーザ操作をともに検出するように構成しておく。そして、この場合に、ホストコンピュータ１２０がボリュームの操作つまみの回転センサ２０３によるユーザ操作で検出されたユーザ操作の回転の度合いと、指紋センサ２０２により識別された個人識別情報とに応じて、表示する内容を提示情報データベース１２３から取り出す。取り出された提示情報は、表示出力装置であるディスプレイ２０５、スピーカー２０６、拡張出力モジュール２０７などにより表示出力される。
【００３４】
この実施例の個人識別ユーザインタフェース装置の主要部を構成する「Ｔｏｕｃｈ＆Ｔｕｒｎデバイス」は、制御コンピュータであるマイクロコンピュータ２０１、指紋センサ２０２、操作つまみの回転センサ２０３、プッシュスイッチ２０４から構成されており、これらが一体化されて筐体に収納されたものとなっている。「Ｔｏｕｃｈ＆Ｔｕｒｎデバイス」は、日常生活空間に散見される「まわす」インタフェース（つまみ、ノブ、蛇口、…、ｅｔｃ）に、ＩＤ認識装置（指紋センサ）を付加するアプローチである。
【００３５】
図８に、「Ｔｏｕｃｈ＆Ｔｕｒｎデバイス」のプロトタイプを示している。操作つまみの回転センサには、一般的な可変抵抗器を用いており、指紋センサとしてはラトックシステム製の「ＳＲＥＸ−ＦＳＵ１」を利用している。回転センサのつまみの持ち手はドアノブ程度の大きめのサイズになっており、右手で握ったときにユーザの親指が指紋センサの位置にかかるように工夫している。可変抵抗は、「Ｐｈｉｄｇｅｔ  ＩｎｔｅｒｆａｃｅＫｉｔ」に接続され、指紋センサ２０２とともにホストコンピュータ１２０から制御される。
【００３６】
この個人識別ユーザインタフェース装置の「Ｔｏｕｃｈ＆Ｔｕｒｎデバイス」は、利用者がつまみを握る際に、利用者の指の指紋による認証を行い、その後に、つまみをまわすことで、それぞれのユーザに応じた情報提示（指示操作）を行う（図８）。例えば、リビングのオーディオシステムにＴｏｕｃｈ＆Ｔｕｒｎデバイスを利用すれば、つまみに触れた家族（個人）を認識し、それぞれの好みに応じたプレイリストを呼び出すとともに、連続的に選曲を行うことが可能になる。また、水道の蛇口に本システムを付加することで、ユーザに適した温度の水（湯）を出したり、子供が触ったときには熱湯が出ないような制約を加えることができる。
【００３７】
図５および図６は、本発明に係る個人識別ユーザインタフェース装置をオーディオシステムに応用したシステムの動作を説明するフローチャートである。これらの図を参照してシステムの動作を説明する。前述したように、このオーディオシステムに設けられた操作つまみ（回転センサ）には、指紋センサが設けられている（図８）。利用者がつまみを掴んで回す操作を行うと、その場合に、操作つまみに設けられた指紋センサ２０２に指が当たるので、図５に示すように、指紋センサ２０２により指紋データを取得して、ホストコンピュータ１２０へ指紋データを送信する。
【００３８】
ホストコンピュータ１２０では、指紋センサ２０２から送られてきた指紋データを認証データベース１２１の認証データと照合する。利用者の指紋データが認証データベース１２１に登録されていると判定される場合、利用者の指紋データに対応して利用者の個人識別番号と共に利用者の嗜好データが登録されているので、指紋データに対応した個人識別番号をキーとしてユーザ嗜好データベースを参照して当該利用者の嗜好リストを取得する。そして、コンテンツデータベースから嗜好リストのコンテンツ群を取得して、取得したコンテンツのリストを表示すると共に、コンテンツを再生する。これにより、利用者に固有のコンテンツの情報の提示がなされる。つまり、利用者それぞれの好みに応じたプレイリストが呼び出されると共に、好みに応じた選曲を連続的に行うことができる。
【００３９】
一方、利用者の指紋データが認証データベース１２１に登録されていない場合には、利用者の個別の嗜好リストが取得できないので、コンテンツデータベースから標準コンテンツ群を取得して、取得したコンテンツのリストを表示すると共に、そのコンテンツを再生する。これにより、利用者には標準のコンテンツの情報表示がなされる。
【００４０】
次に、つまみの回転の操作、プッシュスイッチの操作などのユーザ操作がなされるが、これらのユーザ操作を検出して、操作した変位量（回転量）がホストコンピュータ１２０に送信される。図６を参照すると、回転センサ２０３は回転角度を検出し、制御コンピュータであるマイクロコンピュータ２０１に回転角度を送信する。マイクロコンピュータ２０１は、回転角度を数値に変換して、その変換した数値の回転値をホストコンピュータ１２０に送信する。ホストコンピュータ１２０は、回転値のレベルを判定し、そのレベルからコンテンツのインデックスを判定する。そして、現在のコンテンツを変更して、コンテンツリストを再表示すると共に、新コンテンツを再生する。
【００４１】
一方、プッシュスイッチ２０４においては、プッシュスイッチの操作がなされた場合、スイッチ入力を検出して、制御コンピュータであるマイクロコンピュータ２０１にスイッチ入力を送信する。マイクロコンピュータ２０１は、スイッチ入力を真偽値に変換し、そのスイッチの値をホストコンピュータ１２０に送信する。ホストコンピュータ１２０においては、スイッチの値が真であるか否かを検出し、スイッチの値が真である場合には、現在のコンテンツを嗜好リストに追加する。そして、認証データベースに指紋データおよび嗜好リストを保存すると共に、コンテンツリストを再表示する。また、スイッチの値が真でない場合には、現在のコンテンツリストを再表示して終了する。
【００４２】
図７は、本発明に係る個人識別ユーザインタフェース装置の「Ｔｏｕｃｈ＆Ｄｏｗｎデバイス」の別の応用例の説明する図である。この応用例は、「Ｔｏｕｃｈ＆Ｄｏｗｎデバイス」を展示会の投票に利用する場合の例である。ＩＤカードを所持した利用者は、投票行動を行うために、ＩＤカードを「Ｔｏｕｃｈ＆Ｄｏｗｎデバイス」の上に置くと、プレピューとして、図７の左側に示されるように、「展示０５：モビキタス・リサーチに投票します。」と表示され、続いて、利用者（投票者）が、ＩＤカードを「Ｔｏｕｃｈ＆Ｄｏｗｎデバイス」に軽く押し込むと。その押し込み力が「Ｔｏｕｃｈ＆Ｄｏｗｎデバイス」により検出されて、まず、表示装置には１段階の「興味深さ」が表示される。続いて、利用者が強くＩＤカードを「Ｔｏｕｃｈ＆Ｄｏｗｎデバイス」に軽く押し込むと。その押し込み力が検出されて、３段階の「興味深さ」として入力される。この場合には、表示装置には、図７の右側に示されるように、「３．非常に興味深い［資料希望］」との表示がなされる。
【００４３】
図８は、本発明に係る個人識別ユーザインタフェース装置の「Ｔｏｕｃｈ＆Ｔｕｒｎデバイス」のオーディオシステムへの応用例を説明する図である。図８に示すように利用者が「Ｔｏｕｃｈ＆Ｔｕｒｎデバイス」の回転センサ２０３のつまみを握ると、その際に、利用者の指が指紋センサ２０２に当たって、利用者の指紋が読み取られて指紋が認識される。利用者の指紋が認識されると、その指紋データから利用者に対応したプレイリストの読み込みが行われて、表示装置にプレピューとして表示される。利用者が続いて「Ｔｏｕｃｈ＆Ｔｕｒｎデバイス」の回転センサ２０３のつまみを回す操作を行うと、その回転量に応じて、選択される楽曲を切り換えることができる。
【図面の簡単な説明】
【００４４】
【図１】本発明の一実施例の個人識別ユーザインタフェース装置のシステム構成を示すブロック図である。
【図２】本発明に係る個人識別ユーザインタフェース装置を電子マネーシステムに応用したシステムの動作を説明する第１のフローチャートである。
【図３】本発明に係る個人識別ユーザインタフェース装置を電子マネーシステムに応用したシステムの動作を説明する第２のフローチャートである。
【図４】本発明の別の実施例の個人識別ユーザインタフェース装置のシステム構成を示すブロック図である。
【図５】本発明に係る個人識別ユーザインタフェース装置をオーディオシステムに応用したシステムの動作を説明する第１のフローチャートである。
【図６】本発明に係る個人識別ユーザインタフェース装置をオーディオシステムに応用したシステムの動作を説明する第２のフローチャートである。
【図７】本発明に係る個人識別ユーザインタフェース装置の「Ｔｏｕｃｈ＆Ｄｏｗｎデバイス」の別の応用例の説明する図である。
【図８】本発明に係る個人識別ユーザインタフェース装置の「Ｔｏｕｃｈ＆Ｔｕｒｎデバイス」のオーディオシステムへの応用例を説明する図である。
【符号の説明】
【００４５】
１０１  マイクロコンピュータ
１０２  ＲＦＩＤリーダ
１０３  圧力センサ
１０４  簡易フィードバック機構
１０５  ディスプレイ
１０６  スピーカー
１２０  ホストコンピュータ
１２１  認証データベース
１２２  提示情報データベース
２０１  マイクロコンピュータ
２０２  指紋センサ
２０３  回転センサ
２０４  プッシュスイッチ
２０５  ディスプレイ
２０６  スピーカー
２０７  拡張出力モジュール
【図１】
2007233769.tif 000003
【図２】
2007233769.tif 000004
【図３】
2007233769.tif 000005
【図４】
2007233769.tif 000006
【図５】
2007233769.tif 000007
【図６】
2007233769.tif 000008
【図７】
2007233769.tif 000009
【図８】
2007233769.tif 000010